(57)【特許請求の範囲】
【請求項１】
時々刻々変化する、電力系統情報を現地側で収集し、状態変化データを伝送回線を通じて出力する子局と、該伝送回線を通じて子局から情報を受信し加工編集する複数の処理装置を備えた親局とを含んでなる電力系統監視制御システムにおいて、
各処理装置ヘメンテナンスサーバを介して電力系統設備データを登録する際、その電力系統設備データにそのデータの時系列的な順位を示す来歴データを付加して、メンテナンスサーバより各処理装置に一斉送信し、電力系統設備データを受信した各処理装置は、自身の運転モードが停止モードであり、かつ自処理装置へ登録済の電力系統設備データの来歴データの順位が受信した電力系統設備データの来歴データの順位より古いとき、受信した電力系統設備データを自処理装置に登録することを特徴とする電力系統設備データ登録方法。
【請求項２】
各処理装置へ送信するデータの構造は相手装置を意識しない各装置共通のデータ構造とすることを特徴とする請求項１記載の電力系統設備データ登録方法。
【請求項３】
電力系統設備データは、電力系統の遮断器及び送電線の識別符号、該遮断器と送電線の関係を示すデータ、該遮断器と送電線の基準的な状態を示すデータを含むものであることを特徴とする請求項１もしくは２に記載の電力系統設備データ登録方法。
【請求項４】
来歴データは整数で構成され、メンテナンスサーバは、送信した電力系統設備データの来歴データを格納しておき、次に電力系統設備データを送信する際、格納されていた来歴データを読み出し、これに所定の整数を加えもしくは差し引いて送信する電力系統設備データに来歴データとして付加するとともに、格納されていた来歴データを新たな来歴データに更新することを特徴とする請求項１乃至３のうちのいずれかに記載の電力系統設備データ登録方法。
【発明の詳細な説明】
【０００１】
【産業上の利用分野】
本発明は、電力系統監視制御システムの電力系統データ登録方式に係り、電力系統監視制御システムの電力系統設備データの登録時の作業効率、及び信頼性を向上させるものである。
【０００２】
【従来の技術】
ここでいう電力系統設備データとは、電力系統において、開閉状態が監視される遮断器や流れる電流、電圧が監視される送電線などに付された識別のための符号や、それら遮断器や送電線などの関係や基準的な状態を示すデータであり、これらの開閉状態や電流、電圧などが電力系統情報として電力系統監視システム内を伝送される。電力系統情報を受信した各装置は、電力系統設備データを参照して受信したデータを識別するのであるが、電力系統では、新たな系統の付加や既存の系統の変更が頻繁に行われるため、電力系統設備データを常に最新の状態に維持しなければならない。従来の監視制御システムでは、各処理装置への電力系統設備データ登録（更新）の際、オペレータ（運用者）が各処理装置の電力系統設備データ登録状況を意識し管理していた。この為、電力系統設備データを登録（更新）しようとする装置に対し１対１でメンテナンスサーバを接続して電力系統データ登録を行う必要があった。これは、電力系統設備データ登録の際、運用者が各処理装置のデータ登録要否を判断することになり、作業が煩雑化し登録ミスを招く原因となりかねなかった。更には、選択した処理装置に対して一台ごとにメンテナンスサーバを接続してデータの登録を行うため、処理装置数の多い分散システムに於いては、かなりの作業時間を必要とした。
【０００３】
【発明が解決しようとする課題】
上記の従来技術では、各処理装置への電力系統設備データの登録要否は、メンテナンスサーバに記録されている各処理装置ごとの登録（更新）の最新の情報を運用者が見て判断していた。このため、データ登録の漏れや必要でない処理装置（運用系）へのデータ登録など作業ミスを発生させる根源となっていた。更には、データ構造が処理装置によって異なる場合もあり、データ登録が必要な処理装置に対して一台づつデータ登録を行うため、作業時間が、（１台の処理装置の登録に要する時間）×処理装置台数分かかっていた。
【０００４】
本発明の目的は、複数の処理装置に対して同時に、且つ確実に電力系統設備データの登録を可能とすることにある。
【０００５】
【課題を解決するための手段】
本発明では、上記目的を達成するために、メンテナンスサーバから各処理装置に対し電力系統設備データを送信する際、送信する電力系統設備データにその電力系統設備データの時系列的な順位を示す来歴データを付加して一斉送信し、電力系統設備データを受信した各処理装置は、自身の運転モードが停止モードであり、かつ自処理装置へ登録済の電力系統設備データの来歴データの順位が受信した電力系統設備データの来歴データの順位より古いとき、受信した電力系統設備データを自処理装置に登録することを特徴とする。
【０００６】
メンテナンスサーバから各処理装置への電力系統設備データの送信は、データ構造を送信先の相違に関わらず同一のデータ構造として一斉送信とするのが効率的である。
【０００７】
また、電力系統設備データとしては、電力系統の遮断器及び送電線の識別符号、該遮断器と送電線の関係を示すデータ、該遮断器と送電線の基準的な状態を示すデータなどがある。
【０００８】
来歴データは、例えば整数で構成する。メンテナンスサーバは、送信した電力系統設備データの来歴データを格納しておき、次に電力系統設備データを送信する際、格納されていた来歴データを読み出し、これに所定の整数を加えもしくは差し引いて送信する電力系統設備データに来歴データとして付加するとともに、格納されていた来歴データを新たな来歴データに更新するようにすればよい。
【０００９】
【作用】
本発明の上記手段によれば、メンテナンスサーバから送信された電力系統設備データを受信した各処理装置が、受信した電力系統設備データに付加された来歴データと自装置の運転モード及び自装置に登録済みの電力系統設備データに付加された来歴データに基づいて、受信した電力系統設備データの登録要否を判断し、処理するから、送信の要否、登録の要否の判断に運用者が関わる部分がなくなり、電力系統設備データ登録作業を迅速、かつ確実に行うことが可能である。
【００１０】
【実施例】
以下、本発明の実施例について説明する。図８は、本発明が適用される電力系統監視制御システムの全体構成を示したもので、広域に分散している電力系統１１０の情報（遮断器の開閉状態や送電線の電流、電圧など）をリアルタイムで収集し、その状態変化を伝送回線１３１、１３２を介して遠隔の親局１８０へ伝送する子局１２１，１２２と、子局から伝送された情報を受信して処理する親局１８０とで構成される。
【００１１】
親局１８０は、子局から伝送された情報を受信し、加工、編集した後、ローカルエリアネットワーク１７０に出力する複数の親処理装置１４１、１４２，１４３，１４４と、ローカルエリアネットワーク１７０に接続して配置された複数の上位処理装置１５１，１５２，１５３と、同じくローカルエリアネットワーク１７０に接続して配置され前記親処理装置や上位処理装置へ電力系統の設備名称や設備のつながりを定義した電力系統設備データを登録するメンテナンスサーバ１６０とを含んで構成されている。
【００１２】
図２は、従来技術におけるメンテナンスサーバの各処理装置データ登録管理画面２４０を示したものであり、管理画面上には処理装置名２３０、当該装置の設備データ名称２２０とその登録日付２１０が表示され、運用者はこの管理画面２４０により各処理装置のデータ登録の要否を決定する（図２  ２１０）。図３は、従来技術における送信データの構造を示したものであり、パッケージＮｏ３１０，ヘッダ部３２０、電力系統設備データ部３２０から構成される。パッケージＮｏは各処理装置間でデータの送受信を行なう際のデータの中身を示すフラグであり、例えば設備データ登録時は当該データが電力系統設備データであることを示す予め定められた値が格納される。ヘッダ部は当該データの名称、及び送信先、送信元のアドレスが格納されており、データ名称は、例えば各処理装置に設備データ登録を実施すると、図２の設備データ名称欄に表示される。送信アドレスはこれから設備データを送信する宛先処理装置のアドレス、送信元アドレスは自処理装置（本例ではメンテナンスサーバ）のアドレスが格納されている。
【００１３】
図４は従来技術における電力系統設備データ登録時の処理フローを示したものであり、図中の左側はメンテナンスサーバの処理フロー４５０、右側は各処理装置の処理フロー４７０を示している。運用者が電力系統設備データを登録する送信先を決定する場合、まずメンテナンスサーバ１６０でデータ登録管理画面を見ながら送信先を決定し（４１０）、続いて送信先処理装置の運転モード（運用か停止か）を確認し（４２０）、運転モードが停止であれば、当該処理装置に電力系統設備データを送信し（４３０）、他に設備データを登録する処理装置があれば、４１０〜４３０の処理を処理装置台数分繰返す。処理装置の運転モードが停止であることは、待機状態にあることをいう。４３０の処理により送信された電力系統設備データを受信した処理装置は、自処理装置に電力系統設備データを登録する（４６０）。
【００１４】
図５は、従来技術における送信データの流れを示す。図４の処理フローにより決定された送信先５３３には矢印５６０の様に電力系統設備データがメンテナンスサーバ５５０より送信される。以上のように、従来技術では電力系統設備データ（以下、設備データという）登録必要時には停止した状態の処理装置を選んで一台づつデータ登録作業を実施していた。このため、運用者が電力系統設備データを登録しようとしたとき、対象の処理装置が運用中だと登録が実施されないで他の処理装置にメンテナンスサーバを接続しなおして登録することになるので、図２の２１０のようにデータの登録履歴が３世代にわたるような状況も多々発生する。如何なる場合においても、最新のデータをどの処理装置に登録するかは、運用者に委ねられているため、登録不要の処理装置へ登録してしまう等の人為的ミスを誘発する原因となっていた。
【００１５】
本発明では、電力系統設備データ登録時の運用者の煩雑な作業を不要とし、作業効率の向上を実現している。
図６は本実施例で使用されるデータ構造を示す。本実施例では、従来用いられている電力系統設備データのデータ構造のヘッダ部に、登録しようとする設備データの時系列順位を示す来歴情報Ｎｏを来歴データとして加え各装置に送信する。電力系統は、追加や変更で構成が変化しており、設備データの登録、更新により処理装置に最新の状態が登録されているように管理されねばならない。したがって各処理装置にどの時点の設備データが登録されているかを明らかにし、今回登録しようとする設備データが登録済みかどうかを判定できるように、登録する設備データに時系列的な順位を示す来歴情報Ｎｏを付した。
【００１６】
パッケージＮｏ６１０は従来技術と同じ扱いである。ヘッダ部は来歴情報Ｎｏ、データ名称、送信先アドレス、受信先アドレスから構成されており、来歴情報Ｎｏは１からｎまでの整数が、前回メンテナンスサーバが登録処理した設備データの来歴情報Ｎｏに１を加えた値（Ｎｏがｎまで進んだときは０へもどる）で格納されている。送信先アドレスには、本例では全処理装置のアドレスが格納され、送信元アドレスには自装置（本例ではメンテナンスサーバ）のアドレスが格納されている。
【００１７】
図７は本発明の電力系統設備データの流れを示している。親処理装置７２１，７２２，上位処理装置７３１，７３２，７３３の枠内に記載された数字は、その処理装置に現在登録されている設備データの来歴情報Ｎｏである。このような状態の処理装置に、来歴情報Ｎｏが３の設備データを登録する場合について述べる。まず、メンテナンスサーバ７５０は図６に示すデータ（来歴情報Ｎｏは３の設備データ）を全処理装置７２１〜７３３に一斉送信する。各処理装置は受信データの来歴情報Ｎｏと自装置の運転モードを基にデータを自装置に登録するか否かを判断する。
【００１８】
この場合の処理フローを図１に示す。図中、左側はメンテナンスサーバの処理フロー８７０、右側は処理装置の処理フロー８５０を示す。メンテナンスサーバは、送信した電力系統設備データの来歴情報Ｎｏを格納しており、次に電力系統設備データを処理装置に登録する際、格納されていた来歴情報Ｎｏを読み出し、これに所定の整数（本実施例においては１）を加えて送信する電力系統設備データに来歴情報Ｎｏとして付加する。メンテナンスサーバは同時に格納されていた来歴情報Ｎｏを送信する電力系統設備データに来歴情報Ｎｏとして付加された新たな来歴情報Ｎｏに更新する。メンテナンスサーバは、次いで、図６に示す構成の、来歴情報Ｎｏ付の設備データを全処理装置に対して一斉送信する（８６０）。データを受信した各処理装置は本図右側のフロー８５０に従い、受信データが設備データか否かを判断し（８１０）、設備データでなければ処理を中断し、設備データであれば自装置運転モードが停止かそうでないかを判断する（８２０）。ここで、自装置の運転モードが停止以外のときは処理を中断する。これにより、誤って運用中の処理装置へ設備データを登録するような事は無くなる。また、運転モードが停止のときは、既に自装置に登録されている設備データの来歴情報Ｎｏとメンテナンスサーバより受信した設備データの来歴情報Ｎｏを比較し（８３０）、受信したデータの来歴情報Ｎｏの方が大きい時（最新の時）は、自装置内に設備データを登録する（８４０）。
【００１９】
従来技術では設備データの登録来歴の管理をメンテナンスサーバで実施していたが、本実施例では登録来歴管理を各処理装置で実施することになる。図７で具体的に説明する。各装置は受信データが設備データか否かを判定し、設備データであると判定したら、自装置の運転モード判定処理に移る。ここで、親処理装置７２１、上位処理装置７３１の二つは停止モードでないため、処理を中断する。停止モードである親処理装置７２２、上位処理装置７３２，７３３は最新データであるか否かの判定処理に入る。この結果、上位処理装置７３３は自装置内の設備データの来歴情報Ｎｏと受信した設備データの来歴情報Ｎｏが等しい（受信設備データは最新でない）ため処理を中断する。また、上位処理装置７３２、親処理装置７２２は自装置内の設備データの来歴情報Ｎｏよりも受信した設備データの来歴情報Ｎｏの方が大きい（受信データは最新）ので、受信した設備データを自処理装置内に登録する。以上のように、これらは全処理装置で各々独立に処理されるので、最近の分散システムの様に処理装置数が多いシステムではデータ登録作業時間の大幅な短縮を可能とし、且つ人為的ミスが排除された、信頼度の高い設備データ登録が可能になった。
【００２０】
なお、上記実施例では、来歴情報Ｎｏが、時系列的に新しくなるにつれて数が大きくなるようにしてあるが、逆に時系列的に新しくなるにつれて数が小さくなるようにしても差し支えない。但し、この場合は、負号を含むようにするか、来歴情報Ｎｏがある程度小さい数になったとき、すべての来歴情報Ｎｏを一斉に同じ数だけ増やすなどの処理が必要になる。
【００２１】
【発明の効果】
本発明によれば、複数の処理装置に対して同時に、且つ確実に設備データの登録を行うことができる。
【図面の簡単な説明】
【図１】本発明における設備データ登録の処理フローの例を示す手順図である。
【図２】従来技術のデータ登録管理画面の例を示す図である。
【図３】従来技術における電力系統設備データの構成例を示す図である
【図４】従来技術における設備データ登録の処理フローの例を示す手順図である。
【図５】従来技術における設備データ登録時のデータの流れの例を示す図である。
【図６】本発明における電力系統設備データの構成例を示す図である。
【図７】本発明での電力系統設備データ登録時のデータの流れの例を示す図である。
【図８】本発明が適用される電力系統監視制御システムの全体構成図である。
【符号の説明】
１１０  電力系統
１２１，１２２  子局装置
１３１，１３２  伝送回線
１４１，１４２，１４３，１４４  親処理装置
１５１，１５２，１５３  上位処理装置
１６０  メンテナンスサーバ
１７０  ローカルエリアネットワーク
１８０  親局
２１０  データ登録日付
２２０  電力系統設備データ名称
２３０  処理装置名称
２４０  データ登録管理画面
３１０  従来技術データ構造のパッケージＮｏ
３２０  従来技術データ構造のヘッダ部
３３０  従来技術データ構造の電力系統設備データ部
４１０  従来技術の送信先選択部
４２０  従来技術の運転モード確認部
４３０  従来技術の電力系統設備データ送信部
４４０  従来技術の他処理装置登録確認部
４５０  従来技術のメンテナンスサーバの処理フロー
４６０  従来技術の電力系統設備データ登録部
４７０  従来技術の処理装置の処理フロー
５１０  伝送回線
５２１，５２２  親処理装置
５３１，５３２，５３３  上位処理装置
５４０  ローカルエリアネットワーク
５５０  メンテナンスサーバ
５６０  従来技術のデータの流れ
６１０  本発明の設備データのデータ構造のパッケージＮｏ
６２０  本発明のデータ構造のヘッダ部
６３０  本発明のデータ構造の電力系統設備データ部
７１０  伝送線
７２１，７２２  親処理装置
７３１，７３２，７３３  上位処理装置
７４０  ローカルエリアネットワーク
７５０  メンテナンスサーバ
７６０  設備データ登録時の設備データの流れを示す矢印。
８１０  本発明のデータ種別確認部
８２０  本発明の運転モード確認部
８３０  本発明の管理Ｎｏ確認部
８４０  本発明の電力系統設備データ登録部
８５０  本発明の処理装置の処理フロー
８６０  本発明の電力系統設備データ送信部
８７０  本発明のメンテナンスサーバの処理フロー
【図１】
0003694797.tif 000002
【図２】
0003694797.tif 000003
【図３】
0003694797.tif 000004
【図４】
0003694797.tif 000005
【図５】
0003694797.tif 000006
【図６】
0003694797.tif 000007
【図７】
0003694797.tif 000008
【図８】
0003694797.tif 000009